(57)【要約】  インテリジェント救援要請機能を有する電動ベッドであって、ユーザのバイタルサインをモニタリングし、かつ、モニタリングデータを無線通信モジュールに伝送するためのモニタリングモジュールと、前記モニタリングデータをサーバに送信するための無線通信モジュールとを含み、前記サーバは、端末機器が送信した設定信号を受信し、設定信号及びモニタリングデータに基づきアラーム信号を送信するか否かを判断する。本実用新案は、複数種のバイタルサインをモニタリングすることにより、人々の睡眠中の真実の状況に総合的に反応して、アラームミスの確率を低減することができる。
2019508118.tif 000002
【特許請求の範囲】
【請求項１】
ユーザのバイタルサインをモニタリングし、かつ、モニタリングデータを無線通信モジュールに伝送するためのモニタリングモジュールと、
前記モニタリングデータをサーバに送信するための無線通信モジュールと、を含む電動ベッドであって、
前記サーバは、端末機器が送信した設定信号を受信し、設定信号に設定された閾値を前記モニタリングデータが超えている場合は、アラーム信号を送信することを特徴とする電動ベッド。
【請求項２】
前記無線通信モジュールの接続方式は、Ｗｉ−Ｆｉ、ブルートゥース、赤外線またはＺｉｇＢｅｅのうちの少なくとも１種であることを特徴とする請求項１に記載の電動ベッド。
【請求項３】
前記モニタリングデータは、下記データ、つまり体温、心拍数、呼吸頻度、鼾音の強さ、呼吸の強さ、寝返り及び寝転がり回数のうちの少なくとも１種を含むことを特徴とする請求項１または２に記載の電動ベッド。
【請求項４】
前記サーバは、クラウドサーバであることを特徴とする請求項１に記載の電動ベッド。
【請求項５】
前記端末機器は、スマートフォン、タブレット端末、ＰＤＡ及び液晶ディスプレイを含むことを特徴とする請求項３に記載の電動ベッド。
【請求項６】
前記端末機器は、前記モニタリングデータを表示することを特徴とする請求項５に記載の電動ベッド。
【請求項７】
前記設定信号中に、アラーム閾値及びアラーム方式情報のうちの少なくとも１種を含むことを特徴とする請求項３に記載の電動ベッド。
【請求項８】
前記アラーム閾値は、体温、心拍数、呼吸頻度及び呼吸の強さの閾値であることを特徴とする請求項７に記載の電動ベッド。
【請求項９】
前記アラーム方式は、ショートメッセージ、電話、メール及びｐｕｓｈメッセージのうちの少なくとも１種であることを特徴とする請求項７に記載の電動ベッド。
【請求項１０】
前記アラーム信号は、家族または医療機関に送信されることを特徴とする請求項３に記載の電動ベッド。
【発明の詳細な説明】
【技術分野】
【０００１】
本実用新案は電動ベッドに関するものであり、特にインテリジェント電動ベッドに関する。
【背景技術】
【０００２】
人々が睡眠中に突然疾病を発症する可能性があるため、人々の睡眠時に人体のバイタルサインパラメータをモニタリングすることができ、かつ、異常が出現した際にアラームを発することができるシステムが必要とされている。
【０００３】
現在、ベッド上に応用される看護システムが存在しており、それは圧電センサを介して人体のバイタルサインパラメータを検出し、圧電センサの測定値に基づき熟睡中の人々に重心の移動が発生したか否かを判断し、かつ、異常状態には無線通信ユニットを介して予め設定された携帯電話にアラームを発する。
【０００４】
しかし、この種の看護システムは、単一の検知機器に依拠して単一の人体のバイタルサインパラメータを測定するのみであり、この種の単一の検知機器が失効すると、判断ミスを生じる可能性がある。また、この種の単一のセンサが測定したデータは信頼性が比較的低く、併せて人々の睡眠中における真実のバイタルサインに総合的に反応することができない。
【発明の概要】
【０００５】
ここで注意すべきは、本実用新案の目的は、背景技術においてすでに判明している１つまたは複数の欠点を克服することにある点である。
【０００６】
この目的のために、本実用新案に基づきインテリジェント端末で制御する電動ベッドシステムが提案されており、以下の技術案により実現される。
【０００７】
ユーザのバイタルサインをモニタリングし、かつ、モニタリングデータを無線通信モジュールに伝送するためのモニタリングモジュールと、
前記モニタリングデータをサーバに送信するための無線通信モジュールと、を含む電動ベッドであって、
前記サーバは、端末機器が送信した設定信号を受信し、設定信号に設定された閾値を前記モニタリングデータが超えている場合は、アラーム信号を送信することを特徴とする。
【０００８】
更に、前記無線通信モジュールの接続方式は、Ｗｉ−Ｆｉ、ブルートゥース（登録商標）、赤外線またはＺｉｇＢｅｅ（登録商標）のうちの少なくとも１種である。
【０００９】
更に、前記モニタリングデータは、下記データ、つまり体温、心拍数、呼吸頻度、鼾音の強さ、呼吸の強さ、寝返り及び寝転がり回数のうちの少なくとも１種を含む。
【００１０】
更に、前記サーバは、クラウドサーバである。
【００１１】
更に、前記端末機器は、スマートフォン、タブレット端末、ＰＤＡ及び液晶ディスプレイを含む。
【００１２】
更に、前記端末機器は、前記モニタリングデータを表示する。
【００１３】
更に、前記設定信号中に、アラーム閾値及びアラーム方式情報のうちの少なくとも１種を含む。
【００１４】
更に、前記アラーム閾値は、体温、心拍数、呼吸頻度及び呼吸の強さの閾値である。
【００１５】
更に、前記アラーム方式は、ショートメッセージ、電話、メール及びｐｕｓｈメッセージのうちの少なくとも１種である。
【００１６】
更に、前記アラーム信号は、家族または医療機関に送信される。
【００１７】
本実用新案では、センサを介して、心拍数、呼吸数、呼吸の強さ、寝返り、痙攣などを含むベッドユーザの総合的なバイタルサインパラメータをモニタリングし、無線通信モジュールを介してバイタルサインパラメータをインターネットサーバにアップロードし、端末機器は予めサーバに対して条件を設定し、サーバがバイタルサインの異常を発見するかまたはユーザが長期間ベッドを離れていないことを発見すると、ショートメッセージ、メール、電話またはｐｕｓｈメッセージ方式でユーザが予め設定した人員、医療機関にアラームを送信する。また、端末機器は、ユーザのバイタルサインパラメータを分析するために、サーバ中のリアルタイムデータ及びヒストリカルデータを取得することができる。本実用新案は、複数種のバイタルサインをモニタリングすることにより、人々の睡眠中の真実の状況に総合的に反応して、アラームミスの確率を低減することができる。
【００１８】
ここで理解すべきは、本実用新案においては、明らかな矛盾または互換性がない場合を除き、すべての特徴、変形方式及び／または具体的な実施例を多種類の組合せに応じて互いに結合することができる点である。
【００１９】
以下の非制限的な説明としての具体的な実施例を閲読するとともに、添付図面を結合す
ることにより、本実用新案のその他の特徴及び利点は自明のものとなる。
【図面の簡単な説明】
【００２０】
【図１】は本実用新案に基づくインテリジェントアラーム機能を有する電動ベッドの構造概略図が示されている。
【図２】は本実用新案に基づくインテリジェントアラーム機能を有する電動ベッドの動作の流れ図が示されている。
【発明を実施するための形態】
【００２１】
以下においては、実施例及び添付図面に基づき本実用新案について詳細に説明する。
【００２２】
図１には本実用新案に基づくインテリジェントアラーム機能を有する電動ベッドの構造概略図が示されている。本実用新案が提案する電動ベッドは、相互にヒンジ接続された複数枚のベッドパネル、ベッドパネルを接続する連接棒機構、及び連接棒機構を駆動する駆動モータを含み、当該電動ベッドは、モニタリングモジュール１及び無線通信モジュール２を更に含む。
【００２３】
モニタリングモジュール１は、ユーザのバイタルサインをモニタリングするために用いられ、体温モニタリングモジュール、心拍数モニタリングモジュール、呼吸頻度検出計、デシベルメータなどを含む。モニタリングモジュール１は、少なくともユーザのバイタルサインのモニタリングデータを取得し、当該モニタリングデータは、ユーザの体温、心拍数、呼吸数、鼾音の強さ、呼吸の強さ、寝返り及び寝転がり回数などを含む。モニタリングモジュール１はモニタリングデータを無線通信モジュール２に伝送することに適しており、無線通信モジュール２は受信したモニタリングデータをサーバに伝送する。サーバは前記モニタリングデータを記憶することができる。オプションとして、当該サーバはモニタリングデータを端末機器に送信して、ユーザに端末機器を使用してリアルタイムのモニタリングデータ及びヒストリカルなモニタリングデータを確認させることができる。
【００２４】
モニタリングモジュール１は、電動ベッドのベッド体上部の、人体の心臓に近接した位置に取り付けられ、正確なデータを取得する。
【００２５】
モニタリングモジュール１は、ユーザの心拍数、呼吸数、鼾音の強さ、呼吸の強さ、寝返り及び寝転がり回数をモニタリングすることができる。
【００２６】
心拍数、呼吸数、呼吸の強さは、ユーザの基本的な身体状況を判断することができる。
【００２７】
寝返り及び寝転がり回数は、ユーザの基本的な睡眠状況を判断することができる。
【００２８】
線材がモニタリングモジュール１に対して発生する電磁干渉を回避するため、１つの実施例において、モニタリングモジュール１はＲＦ無線通信方式で無線通信モジュール２と通信する。
【００２９】
無線通信モジュール２は、Ｗｉ−Ｆｉモジュールであり、サーバと無線接続するために、状況に応じてブルートゥースモジュール、赤外線モジュール、ＺｉｇＢｅｅモジュールなどとすることもできる。無線通信モジュール２は、受信したモニタリングデータをサーバに伝送することに適している。
【００３０】
サーバと、電動ベッドの無線通信モジュール２及び端末機器とは無線接続される。当該接続方式は、Ｗｉ−Ｆｉ、ブルートゥース、赤外線またはＺｉｇＢｅｅのうちの少なくとも１種とすることができる。前記サーバは、端末機器が送信する設定信号及び前記モニタリングデータに基づきアラーム信号を生成して送信するか否かを判断する。
【００３１】
設定信号中に、アラーム閾値及びアラーム方式情報のうちの少なくとも１種が含まれる。アラーム閾値は、体温、心拍数、呼吸頻度及び呼吸の強さの閾値であり、アラーム方式は、ショートメッセージ、電話、メール及びｐｕｓｈメッセージのうちの少なくとも１種である。
【００３２】
具体的に述べると、サーバ中に電動ベッドの状態に関する処理プログラムが設定される。サーバは、一方においては電動ベッドのモニタリングデータを受信し、他方においては端末機器が送信する設定信号を受信する。処理プログラムは、モニタリングデータ及び設定信号に基づき、アラーム信号を送信するか否かを判断して、決定する。例えば、端末機器が、心拍数を６０〜１４０回／分の閾値範囲、アラーム方式をショートメッセージ通知と予め設定するとともに、関連する設定信号をサーバに送信する。サーバの受信したモニタリングデータが当該範囲を超えている場合は、ショートメッセージ方式でアラーム信号を送信して、外界に救援を要請する。逆に、モニタリングデータが当該閾値範囲内である場合、サーバは何らのアラーム信号も送信しない。
【００３３】
サーバは、アラーム信号を予め設定した人員または医療機関に送信することができる。
【００３４】
ユーザが端末機器を介して設定する関連のアラーム閾値について、その推奨値は以下を参考とすることができる。
【００３５】
心拍数が、１６０回／分を超えるか、または４０回／分を下回る。
【００３６】
呼吸数が、２０回／分を超えるか、または１２回／分を下回る。
【００３７】
ユーザが長期間ベッドを離れていないことをモニタリングするなど。
【００３８】
オプションとして、サーバは、ユーザの睡眠状況を分析して、アラームミスを低減するために、ユーザの各項バイタルサインパラメータ、例えば心拍数、呼吸数、鼾音の強さ、呼吸の強さ、寝返り及び寝転がり回数を記憶する。
【００３９】
オプションとして、サーバは、無線通信モジュール２から電動ベッドにおけるユーザのバイタルサインを示すモニタリングデータを受信するとともに、端末機器に送信する。
【００４０】
オプションとして、サーバは、クラウド（コンピューティング）サーバである。
【００４１】
端末機器は、携帯電話、タブレット端末、ノートパソコンなどを含み、端末機器にアラームを発するためのＡｐｐアプリケーションプログラム及び／またはソフトウェアがインストールされる。端末機器はインストールされているＡｐｐアプリケーションプログラム及び／またはソフトウェアを介して端末機器内部の無線モジュールがサーバに設定信号を送信するように制御する。オプションとして、前記端末機器とサーバとの通信方式には、Ｗｉｆｉ、２Ｇ、３Ｇ及び４Ｇのうちの少なくとも１種が含まれる。
【００４２】
この種のＡｐｐアプリケーションプログラム及び／またはソフトウェアは、ユーザが選択するための設定項目選択インターフェイスを含むヒューマンマシン相互インターフェイスを含み、ユーザは当該インターフェイスを介して各種の電動ベッドの設定情報を自己定義するとともに、当該設定信号をサーバに送信する。設定信号は、下記の各項モニタリングデータ、つまり心拍数、呼吸数、鼾音の強さ、呼吸の強さ、寝返り及び寝転がり回数の閾値を含む。ユーザは、クリック、ダブルクリック、スライド、タッチ、数値入力により設定すべき機能を選択することができる。
【００４３】
オプションとして、前記相互インターフェイスは、ユーザに電動ベッドの状態を含む情報データを提供する表示インターフェイスを含む。前記電動ベッドの状態には、ベッドパネルの傾斜角度、モータの状態及び指示ランプの状態のうちの少なくとも１種が含まれる。
【００４４】
オプションとして、前記相互インターフェイスは、更に、ユーザのバイタルサインを示すモニタリングデータをユーザに提供する表示インターフェイスを含むことができる。前記モニタリングデータは、下記データ、つまり心拍数、呼吸数、鼾音の強さ、呼吸の強さ、寝返り及び寝転がり回数のうちの少なくとも１種を含むことができる。
【００４５】
端末機器は、サーバから上記情報データ及びモニタリングデータを受信する。
【００４６】
図２には、本実用新案におけるインテリジェントアラーム機能を有する電動ベッドの動作の流れ図が示されている。
【００４７】
一方において、電動ベッドのモニタリングモジュール１は、電動ベッド上におけるユーザの各項バイタルサインをリアルタイムでモニタリングするとともに、ユーザのバイタルサインを示すモニタリングデータを電動ベッドの無線通信モジュール２に送信する。当該無線通信モジュール２はモニタリングデータをサーバに送信する。
【００４８】
他方において、端末機器は、設定信号をサーバに伝送し、当該設定信号には各項モニタリングデータのアラーム閾値及びアラーム方式が含まれる。
【００４９】
サーバは、上記モニタリングデータ及び設定信号に基づき処理プログラムを介して、アラーム信号を生成して送信するか否かを判断する。具体的に述べると、モニタリングデータが設定された閾値を超えている場合は、アラーム信号を送信し、逆の場合は、送信しない。当該アラーム信号は、ショートメッセージ、電話、メール、ｐｕｓｈメッセージなどの方式でユーザが予め設定した人員及び医療機関に送信される。
【００５０】
オプションとして、サーバは、モニタリングデータを端末機器に送信し、当該端末機器に当該モニタリングデータを表示させる。
【００５１】
オプションとして、電動ベッドの状態を含む情報データを無線通信モジュール２に送信し、後者は当該情報データをサーバに送信する。サーバは情報データを端末機器に送信し、当該端末機器に当該情報データを表示させる。
【００５２】
以上の実施例は実例に過ぎず、本実用新案の範囲に対して限定作用は発揮しない。当業者であれば、それを基礎として、本実用新案が権利を要求する保護範囲内において、同一の機能を実現するその他の実施形態を想到することもできる。
【００５３】
当業者であれば、複数種の実施例及び複数種の変形や改良を掌握している。特に、ここで明確にすべきは、明らかな矛盾または互換性がない場合を除き、本実用新案における上記特徴、変形方式及び／または具体的な実施例は相互に結合することができる点である。すべてのそれらの実施例及び変形や改良は、いずれも本実用新案の保護範囲に属しているものとする。
【図１】
2019508118.tif 000003
【図２】
2019508118.tif 000004
【手続補正書】
【提出日】平成30年10月1日(2018.10.1)
【手続補正１】
【補正対象書類名】明細書
【補正対象項目名】０００１
【補正方法】変更
【補正の内容】
【０００１】
本発明は電動ベッドに関するものであり、特にインテリジェント電動ベッドに関する。
【手続補正２】
【補正対象書類名】明細書
【補正対象項目名】０００５
【補正方法】変更
【補正の内容】
【０００５】
ここで注意すべきは、本発明の目的は、背景技術においてすでに判明している１つまたは複数の欠点を克服することにある点である。
【手続補正３】
【補正対象書類名】明細書
【補正対象項目名】０００６
【補正方法】変更
【補正の内容】
【０００６】
この目的のために、本発明に基づきインテリジェント端末で制御する電動ベッドシステムが提案されており、以下の技術案により実現される。
【手続補正４】
【補正対象書類名】明細書
【補正対象項目名】００１７
【補正方法】変更
【補正の内容】
【００１７】
本発明では、センサを介して、心拍数、呼吸数、呼吸の強さ、寝返り、痙攣などを含むベッドユーザの総合的なバイタルサインパラメータをモニタリングし、無線通信モジュールを介してバイタルサインパラメータをインターネットサーバにアップロードし、端末機器は予めサーバに対して条件を設定し、サーバがバイタルサインの異常を発見するかまたはユーザが長期間ベッドを離れていないことを発見すると、ショートメッセージ、メール、電話またはｐｕｓｈメッセージ方式でユーザが予め設定した人員、医療機関にアラームを送信する。また、端末機器は、ユーザのバイタルサインパラメータを分析するために、サーバ中のリアルタイムデータ及びヒストリカルデータを取得することができる。本発明は、複数種のバイタルサインをモニタリングすることにより、人々の睡眠中の真実の状況に総合的に反応して、アラームミスの確率を低減することができる。
【手続補正５】
【補正対象書類名】明細書
【補正対象項目名】００１８
【補正方法】変更
【補正の内容】
【００１８】
ここで理解すべきは、本発明においては、明らかな矛盾または互換性がない場合を除き、すべての特徴、変形方式及び／または具体的な実施例を多種類の組合せに応じて互いに結合することができる点である。
【手続補正６】
【補正対象書類名】明細書
【補正対象項目名】００１９
【補正方法】変更
【補正の内容】
【００１９】
以下の非制限的な説明としての具体的な実施例を閲読するとともに、添付図面を結合す
ることにより、本発明のその他の特徴及び利点は自明のものとなる。
【手続補正７】
【補正対象書類名】明細書
【補正対象項目名】００２０
【補正方法】変更
【補正の内容】
【００２０】
【図１】は本発明に基づくインテリジェントアラーム機能を有する電動ベッドの構造概略図が示されている。
【図２】は本発明に基づくインテリジェントアラーム機能を有する電動ベッドの動作の流れ図が示されている。
【手続補正８】
【補正対象書類名】明細書
【補正対象項目名】００２１
【補正方法】変更
【補正の内容】
【００２１】
以下においては、実施例及び添付図面に基づき本発明について詳細に説明する。
【手続補正９】
【補正対象書類名】明細書
【補正対象項目名】００２２
【補正方法】変更
【補正の内容】
【００２２】
図１には本発明に基づくインテリジェントアラーム機能を有する電動ベッドの構造概略図が示されている。本発明が提案する電動ベッドは、相互にヒンジ接続された複数枚のベッドパネル、ベッドパネルを接続する連接棒機構、及び連接棒機構を駆動する駆動モータを含み、当該電動ベッドは、モニタリングモジュール１及び無線通信モジュール２を更に含む。
【手続補正１０】
【補正対象書類名】明細書
【補正対象項目名】００４６
【補正方法】変更
【補正の内容】
【００４６】
図２には、本発明におけるインテリジェントアラーム機能を有する電動ベッドの動作の流れ図が示されている。
【手続補正１１】
【補正対象書類名】明細書
【補正対象項目名】００５２
【補正方法】変更
【補正の内容】
【００５２】
以上の実施例は実例に過ぎず、本発明の範囲に対して限定作用は発揮しない。当業者であれば、それを基礎として、本発明が権利を要求する保護範囲内において、同一の機能を実現するその他の実施形態を想到することもできる。
【手続補正１２】
【補正対象書類名】明細書
【補正対象項目名】００５３
【補正方法】変更
【補正の内容】
【００５３】
当業者であれば、複数種の実施例及び複数種の変形や改良を掌握している。特に、ここで明確にすべきは、明らかな矛盾または互換性がない場合を除き、本発明における上記特徴、変形方式及び／または具体的な実施例は相互に結合することができる点である。すべてのそれらの実施例及び変形や改良は、いずれも本発明の保護範囲に属しているものとする。
【国際調査報告】
2019508118.tif 000005
2019508118.tif 000006
2019508118.tif 000007
2019508118.tif 000008